(57)【要約】【課題】プラグ側から衝撃が生じてもジャックやジャックと回路基板との接合部に作用する衝撃力を吸収するジャック及びこれを用いた端末装置を提供する。【解決手段】プラグ５の芯棒６を差し込んで電気的に接続し得る挿入部１４を設けたジャック本体１１と、ジャック本体１１の挿入部１４の外方に配置されてプラグ５と当接する可動受部１２と、ジャック本体１１と可動受部１２の間に配置される弾性吸収部材１３とを備える。【選択図】図２
2005346978.tif 000002
【特許請求の範囲】
【請求項１】
プラグの芯棒を差し込んで電気的に接続し得る挿入部を設けたジャック本体と、該ジャック本体の挿入部の外方に配置されて前記プラグと当接する可動受部と、外部から衝撃を受けた際に前記ジャック本体への衝撃を吸収するよう前記可動受部をジャック本体に対して余勢可能に配置する弾性吸収部材とを備えたことを特徴とするジャック。
【請求項２】
プラグの芯棒を差し込んで電気的に接続し得る挿入部を設けたジャック本体と、該ジャック本体の挿入部の外方で前記挿入部の軸線方向へ移動可能に配置されて前記プラグと当接する可動受部と、前記ジャック本体と可動受部の間に配置される弾性吸収部材とを備えたことを特徴とするジャック。
【請求項３】
可動受部もしくは弾性吸収部材の少くとも一方を、プラグと電気的に接続し得るように構成したことを特徴とする請求項１または２に記載のジャック。
【請求項４】
請求項１〜３いずれか一つに記載のジャックを備えた基板を筺体内に具備することを特徴とする端末装置。
【発明の詳細な説明】
【技術分野】
【０００１】
本発明は、イヤホン等のプラグを接続するジャック、及び携帯電話機、ＰＨＳ等の移動体通信機、ＰＤＡ（Personal Digital Assistant）、携帯ラジオ、ＭＤプレーヤ、ＣＤプレーヤ、カセットテープレコーダ、デジタルカメラといった端末装置に関するものである。
【背景技術】
【０００２】
一般に、携帯電話機、ＰＨＳ等の移動体通信機、ＰＤＡ、携帯ラジオ、ＭＤプレーヤ、ＣＤプレーヤ、カセットテープレコーダ、デジタルカメラといった端末装置は、イヤホン、ヘッドホン、マイク等を接続し得るジャックを備えている。例えば、携帯電話機の例を、図４〜図９に示すように、ジャック１は、携帯電話機４０の筺体４１内に具備される回路基板４に、半田接続により一体的に構成されると共に、外部からイヤホン、ヘッドホン、マイク等のプラグ５の芯棒６を差し込んで電気的に接続し得る貫通孔７を備えている。ここで、図中、８はプラグ５のプラグケースを示している。
【０００３】
また、ジャック１を示すものとしては、例えば、特許文献１がある。
【特許文献１】特開平７−３３６４１８号公報
【発明の開示】
【発明が解決しようとする課題】
【０００４】
しかしながら、ジャック１にプラグ５を差し込んだ状態で携帯電話機４０を誤って落とし、落下衝撃をプラグ５側から与えた場合には、衝撃力がプラグ５からジャック１を介してジャック１と回路基板４との半田接合部等に作用し、接合部分の剥離による断線、回路基板４の破損、他の電装部品へのダメージが生じるという問題があった。
【０００５】
本発明は、斯かる実情に鑑み、プラグ側から衝撃が生じてもジャックやジャックと回路基板との接合部に作用する衝撃力を吸収するジャック及びこれを用いた端末装置を提供しようとするものである。
【課題を解決するための手段】
【０００６】
本発明は、プラグの芯棒を差し込んで電気的に接続し得る挿入部を設けたジャック本体と、該ジャック本体の挿入部の外方に配置されて前記プラグと当接する可動受部と、外部から衝撃を受けた際に前記ジャック本体への衝撃を吸収するよう前記可動受部をジャック本体に対して余勢可能に配置する弾性吸収部材とを備えたことを特徴とするジャックにかかるものである。
【０００７】
また、本発明は、プラグの芯棒を差し込んで電気的に接続し得る挿入部を設けたジャック本体と、該ジャック本体の挿入部の外方で前記挿入部の軸線方向へ移動可能に配置されて前記プラグと当接する可動受部と、前記ジャック本体と可動受部の間に配置される弾性吸収部材とを備えたことを特徴とするジャックにかかるものである。
【０００８】
前記ジャックにおいては、可動受部もしくは弾性吸収部材の少くとも一方を、プラグと電気的に接続し得るように構成することが好ましい。
【０００９】
更に、本発明は、前述のいずれか一つに記載のジャックを備えた基板を筺体内に具備することを特徴とする端末装置にかかるものである。
【発明の効果】
【００１０】
本発明によれば、プラグ側から衝撃が生じてもジャックやジャックと回路基板との接合部に作用する衝撃力を吸収することができるという優れた効果を奏し得る。
【発明を実施するための最良の形態】
【００１１】
以下、本発明の実施の形態の第一例を添付図面を参照して説明する。
【００１２】
図１は本発明を実施する形態の第一例におけるジャックを示す斜視図、図２は本発明を実施する形態の第一例の側断面図であり、図４〜図９と同一の符号を付した部分は同一物を表わしている。
【００１３】
図４に示す端末装置は携帯電話機４０を示したもので、この携帯電話機４０は、２つの筺体４１，４２と、これら２つの筺体４１，４２を折り畳み可能に連結するヒンジ部４７とを有し、筺体４１のうち、折り畳まれた際に筺体４２と向き合う対向面４１ａには、複数のキー群からなる操作部４３と、マイクロフォン４４を備え、また、筺体４２のうち、折り畳まれた際に筺体４１と向き合う対向面４２ａには、液晶表示装置や有機ＥＬ装置からなる表示部４５とスピーカ４６を備えている。
【００１４】
また、筺体４１内には回路基板４を備えると共に、この回路基板４に半田接続にて一体的に固定されたジャック１０を備え、このジャック１０にイヤホン、ヘッドホン、マイク等のプラグ５が接続されるようになっている。
【００１５】
次に本発明に係るジャック１０について詳述する。
【００１６】
ジャック１０は、回路基板４に半田接続で一体的に接合されるジャック本体１１と、ジャック本体１１の先端外方に位置して携帯電話機４０の筺体側壁近くに位置する可動受部１２と、ジャック本体１１と可動受部１２の間に配置される弾性吸収部材１３とを備えている。
【００１７】
ジャック本体１１は、イヤホン、ヘッドホン、マイク等のプラグ５を差し込み可能にするよう、回路基板４と略平行な孔からなる挿入部１４を備えると共に、挿入部１４を延長する筒状の延在部１５を形成している。延在部１５の外周面には、外径方向に突出する環状の係止部１６を形成し、挿入部１４の内周面には、プラグ５と電気的に接続し得る端子１７を備えている。ここで、端子１７は、図２に示す如くプラグ５の差込側と反対側から挿入部１４の内周面に延在して配置されるようにしてもよいし、ジャック本体１１の側部に挿入部１４につながる連通孔（図示せず）を設けて端子１７をジャック本体１１の側方から連通孔を介して挿入部１４の内周面に延在するようにしてもよい。
【００１８】
可動受部１２は、ジャック本体１１の係止部１６及び延在部１５を覆うよう大口径の筒体部１８を備えて挿入部１４の軸線方向へ移動可能になっており、筒体部１８のジャック本体側端には、内方に突出し、ジャック本体１１の係止部１６と係止し得る第一縁部１９を備え、筒体部１８のジャック本体側と反対側端には、内方に突出し、プラグ５の芯棒６が連通される内孔２１を形成した第二縁部２０を備えている。
【００１９】
弾性吸収部材１３は、挿入部１４の軸線方向へ伸縮するコイルスプリング等の弾性体であり、一端をジャック本体１１の係止部１６に係止させると共に他端を可動受部１２の第二縁部２０に係止させ、可動受部１２をジャック本体１１に対して移動可能に余勢している。
【００２０】
ここで、可動受部１２もしくは弾性吸収部材１３は、金属等の伝導性の素材でグランド（図示せず）に接続されている。
【００２１】
以下、本発明の実施の形態の第一例の作用を説明する。
【００２２】
ジャック本体１１へプラグ５を差し込んで電気的に接続する際には、プラグ５の芯棒６を、可動受部１２の内孔２１を介してジャック本体１１の挿入部１４へ差し込み、プラグ５のプラグケース８を可動受部１２と当接させることにより、プラグ５のライン接続面６ａを端子１７に接続させ、電気的に接続すると共に、プラグ５のプラグケース８を可動受部１２の第二縁部２０に係止させる。ここで、プラグ５のグランド接続面（図示せず）は、可動受部１２もしくは弾性吸収部材１３の少くとも一方に接触してグランドに接続されている。
【００２３】
一方、ジャック本体１１にプラグ５を差し込んだ状態で携帯電話機４０を誤って落とし、落下衝撃をプラグ５側から与えた場合には、衝撃をプラグ５から可動受部１２を介して弾性吸収部材１３に伝え、ジャック本体１１に伝えることなく、弾性吸収部材１３の伸縮で吸収する。ここで、プラグ５のライン接続面６ａと端子１７は前後でズレを生じるが電気的に断線することはない。
【００２４】
このように、本発明の形態の第一例によれば、プラグ５側から衝撃が生じても弾性吸収部材１３の伸縮によりジャック本体１１への衝撃力を吸収し得るので、ジャック本体１１と回路基板４の半田接合、回路基板４、他の電装部品に作用する力を大幅に低減し、接合部分の剥離による断線、回路基板４の破損、他の電装部品へのダメージ等を防止することができる。
【００２５】
また、可動受部１２は、ジャック本体１１の挿入部１４の軸線方向へ移動可能に配置されるので、ジャック本体１１への衝撃力を好適に吸収すると共に、プラグ５の差し込み状態への影響を抑制することができる。更に、弾性吸収部材１３をジャック本体１１と可動受部１２の間に配置するので、荷重衝撃を容易に吸収することができる。
【００２６】
可動受部１２もしくは弾性吸収部材１３の少くとも一方を、プラグ５と電気的に接続し得るので、可動受部１２及び弾性吸収部材１３を衝撃力の吸収に利用し得ると同時に電気的な構成に利用することができる。また、電気的な接続の自由度を高めることができる。
【００２７】
次に、本発明の実施の形態の第二例を添付図面を参照して説明する。
【００２８】
図３は本発明を実施する形態の第二例におけるジャックを示す斜視図であり、図１、図２と同一の符号を付した部分は同一物を表わしている。
【００２９】
本発明の実施の形態の第二例は、第一例のジャック１０を変形したものであり、第二例のジャック３０は、回路基板４に半田接続で一体的に接合されるジャック本体３１と、ジャック本体３１の先端外方に位置して携帯電話機４０の筺体側壁近くに位置する可動受部３２と、ジャック本体３１と可動受部３２の間で外寄りに配置される弾性吸収部材３３とを備えている。
【００３０】
ジャック本体３１は、イヤホン、ヘッドホン、マイク等のプラグ５を差し込み可能にするよう、回路基板４と略平行な孔からなる挿入部１４を備えると共に、挿入部１４を延長する筒状の延在部１５を形成している。挿入部１４の内周面には、第一例と略同様な端子１７を備えている。
【００３１】
可動受部３２は、第一例と同様に、ジャック本体３１の延在部１５を覆うよう大口径の筒体部３４で構成されて挿入部１４の軸線方向へ移動可能になっており、筒体部３４のジャック本体側と反対側端には、内方に突出し、プラグ５の芯棒６が挿通される内孔３５を形成した縁部３６を備えている。
【００３２】
弾性吸収部材３３は、挿入部１４の軸線方向へ伸縮するよう複数枚の板バネ等の弾性体からなるものであり（図３では三枚）、一端をジャック本体３１の側面もしくは上面に固定すると共に他端を可動受部３２の外周面に固定し、更に中途部分を外方へ湾曲して吸収部３７を形成し、可動受部３２をジャック本体３１に対して移動可能に余勢している。なお、板バネ等の弾性体の枚数は、図３の如く三枚に限定されるものではなく、衝撃を吸収し且つ可動受部３２を移動可能に支持し得るならば他の枚数でもよく、吸収部３７の形状も限定されるものではない。
【００３３】
ここで、可動受部３２もしくは弾性吸収部材３３は、金属等の伝導性の素材でグランドに接続されている。
【００３４】
以下、本発明の実施の形態の第二例の作用を説明する。
【００３５】
ジャック本体３１へプラグ５を差し込んで電気的に接続する際には、プラグ５の芯棒６を、可動受部３２の内孔２１を介してジャック本体３１の挿入部１４へ差し込み、プラグ５のプラグケース８を可動受部３２と当接させることにより、プラグ５のライン接続面６ａを端子１７に接続すると共に、プラグ５のプラグケース８を可動受部３２の内孔２１に係止させる。ここで、プラグ５のグランド接続面（図示せず）は、可動受部３２もしくは弾性吸収部材３３の少くとも一方に接触してグランドに接続している。
【００３６】
一方、ジャック本体３１にプラグ５を差し込んだ状態で携帯電話機４０を誤って落とし、落下衝撃をプラグ５側から与えた場合には、衝撃をプラグ５から可動受部３２を介して弾性吸収部材３３に伝え、ジャック本体３１に伝えることなく、弾性吸収部材３３の吸収部３７の伸縮で吸収する。
【００３７】
このように、本発明の形態の第二例によれば、第一例と略同様な作用効果を得ることができる。
【００３８】
以上、本実施形態では、端末装置として携帯電話機４０を例にして説明したが、本発明の端末装置は携帯電話機４０に限定されるものではなく、ＰＨＳ等の他の移動体通信機、ＰＤＡ、携帯ラジオ、ＭＤプレーヤ、ＣＤプレーヤ、カセットテープレコーダ、デジタルカメラといった他の端末装置にも適用できることは言うまでもない。
【００３９】
また、本発明のジャック及びこれを用いた端末装置は、上述の図示例にのみ限定されるものではなく、プラグからの衝撃を吸収し得るならば可動受部及び弾性吸収部材をジャック本体でなく他の位置（例えば回路基板や筺体）に備えてもよいこと、弾性吸収部材はどのような素材及び形状でもよいこと、その他、本発明の要旨を逸脱しない範囲内において種々変更を加え得ることは勿論である。
【図面の簡単な説明】
【００４０】
【図１】本発明を実施する形態の第一例におけるジャックを示す斜視図である。
【図２】本発明を実施する形態の第一例の側断面図である。
【図３】本発明を実施する形態の第二例におけるジャックを示す斜視図である。
【図４】プラグを接続した携帯電話機を示す斜視図である。
【図５】従来例において回路基板にジャックを取り付けた状態を示す斜視図である。
【図６】従来例において回路基板にジャックを取り付けた状態を示す拡大斜視図である。
【図７】従来例において回路基板のジャックにプラグを取り付けた状態を示す斜視図である。
【図８】従来例において回路基板のジャックにプラグを取り付けた状態を示す拡大平面図である。
【図９】図８のＩＸ−ＩＸ方向の断面詳細図である。
【符号の説明】
【００４１】
３    筺体
４    回路基板（基板）
５    プラグ
６    芯棒
１０    ジャック
１１    ジャック本体
１２    可動受部
１３    弾性吸収部材
２１    第二縁部
３０    ジャック
３１    ジャック本体
３２    可動受部
３３    弾性吸収部材
【図１】
2005346978.tif 000003
【図２】
2005346978.tif 000004
【図３】
2005346978.tif 000005
【図４】
2005346978.tif 000006
【図５】
2005346978.tif 000007
【図６】
2005346978.tif 000008
【図７】
2005346978.tif 000009
【図８】
2005346978.tif 000010
【図９】
2005346978.tif 000011